【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】インクジェット記録装置及び画像形成装置
【手続補正２】
【補正対象書類名】明細書
【補正対象項目名】特許請求の範囲
【補正方法】変更
【補正の内容】
【特許請求の範囲】
【請求項１】
インク滴を吐出するノズルと、このノズルが連通するインク流路と、このインク流路の一部の壁面を形成する振動板と、この振動板に対向する電極とを有するインクジェットヘッドを搭載したインクジェット記録装置において、インク滴を吐出させる第１駆動波形とインク滴を吐出させずにメニスカスを振動させる第２駆動波形とを、第２駆動波形及び第１駆動波形の順に時系列で生成出力する手段を備えたことを特徴とするインクジェット記録装置。
【請求項２】
請求項１に記載のインクジェット記録装置において、印字信号に応じて前記第２駆動波形及び第１駆動波形のいずれかを選択して前記電極に印加する手段を備えていることを特徴とするインクジェット記録装置。
【請求項３】
請求項１に記載のインクジェット記録装置において、前記第２駆動波形を印字信号が非印字の複数の前記電極に同時に印加させる手段を備えたことを特徴とするインクジェット記録装置。
【請求項４】
請求項１乃至３のいずれかに記載のインクジェット記録装置において、温度又は湿度の検出結果に基づいて第２駆動波形を選択する頻度を変更することを特徴とするインクジェット記録装置。
【請求項５】
インク滴を吐出するノズルと、このノズルが連通するインク流路と、このインク流路の一部の壁面を形成する振動板と、この振動板に対向する電極とを有するインクジェットヘッドを搭載したインクジェット記録装置において、インク滴を吐出させる第１駆動波形とインク滴を吐出させずにメニスカスを振動させる第２駆動波形とを、第２駆動波形及び第１駆動波形の順に少なくとも２以上の駆動周期毎に時系列で生成出力する手段を備えたことを特徴とするインクジェット記録装置。
【請求項６】
請求項５に記載のインクジェット記録装置において、前記第２駆動波形は印字信号が非印字の前記電極のみに印加させる手段を備えていることを特徴とするインクジェット記録装置。
【請求項７】
請求項５又は６のいずれかに記載のインクジェット記録装置において、温度又は湿度の検出結果に基づいて第２駆動波形を時系列に発生する頻度を変更することを特徴とするインクジェット記録装置。
【請求項８】
インク滴を吐出するノズルと、このノズルが連通するインク流路と、このインク流路の一部の壁面を形成する振動板と、この振動板に対向する電極とを有するインクジェットヘッドを搭載した画像形成装置において、インク滴を吐出させる第１駆動波形とインク滴を吐出させずにメニスカスを振動させる第２駆動波形とを、第２駆動波形及び第１駆動波形の順に時系列で生成出力する手段を備えたことを特徴とする画像形成装置。
【請求項９】
インク滴を吐出するノズルと、このノズルが連通するインク流路と、このインク流路の一部の壁面を形成する振動板と、この振動板に対向する電極とを有するインクジェットヘッドを搭載した画像形成装置において、インク滴を吐出させる第１駆動波形とインク滴を吐出させずにメニスカスを振動させる第２駆動波形とを、第２駆動波形及び第１駆動波形の順に少なくとも２以上の駆動周期毎に時系列で生成出力する手段を備えたことを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェット記録装置及び画像形成装置に関する。
【手続補正４】
【補正対象書類名】明細書
【補正対象項目名】０００９
【補正方法】変更
【補正の内容】
【０００９】
本発明は上記の課題に鑑みてなされたものであり、単純な構成で、インク滴吐出特性の安定化を図りつつ、インクメニスカスを振動させてノズルの目詰まりを防止するインクジェット記録装置及び画像形成装置を提供することを目的とする。
【手続補正５】
【補正対象書類名】明細書
【補正対象項目名】００１０
【補正方法】変更
【補正の内容】
【００１０】
【課題を解決するための手段】
上記の課題を解決するため、本発明に係るインクジェット記録装置及び画像形成装置は、インク滴を吐出させる第１駆動波形とインク滴を吐出させずにメニスカスを振動させる第２駆動波形とを、第２駆動波形及び第１駆動波形の順に時系列で生成出力する手段を備えたものである。
【手続補正６】
【補正対象書類名】明細書
【補正対象項目名】００１２
【補正方法】変更
【補正の内容】
【００１２】
本発明に係るインクジェット記録装置及び画像形成装置は、インク滴を吐出させる第１駆動波形とインク滴を吐出させずにメニスカスを振動させる第２駆動波形とを、第２駆動波形及び第１駆動波形の順に少なくとも２以上の駆動周期毎に時系列で生成出力する手段を備えたものである。
【手続補正７】
【補正対象書類名】明細書
【補正対象項目名】００１４
【補正方法】変更
【補正の内容】
【００１４】
【発明の実施の形態】
以下、本発明の実施の形態を添付図面を参照して説明する。図１は本発明に係る画像形成装置としてのインクジェット記録装置の機構部の概略斜視説明図、図２は同機構部の側面説明図である。
【手続補正８】
【補正対象書類名】明細書
【補正対象項目名】０１１９
【補正方法】変更
【補正の内容】
【０１１９】
また、本発明で駆動制御するインクジェットヘッドのノズル、加圧室、流体抵抗部、共通流路液室の形状、配置、形成方法は適切に変更することができる。例えば、上記実施形態においては、ノズルは振動板の変位方向にインク滴が吐出するように形成したサイドシュータ方式のインクジェットヘッドであるが、ノズルを振動板の変位方向と交差する方向にインク滴が吐出するように形成したエッジシュータ方式のインクジェットヘッドでもよい。また、前述したようにプリンタ、ファクシミリ、プロッタ等の画像形成装置及び液滴を吐出する装置である液滴吐出装置にも本発明に係る液滴吐出ヘッドを搭載することができる。
【手続補正９】
【補正対象書類名】明細書
【補正対象項目名】０１２０
【補正方法】変更
【補正の内容】
【０１２０】
【発明の効果】
以上説明したように、本発明に係るインクジェット記録装置及び画像形成装置によれば、本発明に係るインクジェット記録装置は、インク滴を吐出させる第１駆動波形とインク滴を吐出させずにメニスカスを振動させる第２駆動波形とを、第２駆動波形及び第１駆動波形の順に時系列で生成出力する手段を備えたので、簡単な構成でノズルの目詰まりを防止できるとともに、メニスカス位置の安定化を図れて高品質画像を記録することができる。
【手続補正１０】
【補正対象書類名】明細書
【補正対象項目名】０１２４
【補正方法】変更
【補正の内容】
【０１２４】
本発明に係るインクジェット記録装置及び画像形成装置によれば、インク滴を吐出させる第１駆動波形とインク滴を吐出させずにメニスカスを振動させる第２駆動波形とを、第２駆動波形及び第１駆動波形の順に少なくとも２以上の駆動周期毎に時系列で生成出力する手段を備えたので、簡単な構成で、ノズルの目詰まりを防止できるとともに、メニスカス位置の安定化を図れて高品質画像を記録することができ、更に、第２駆動波形が間引いて時系列化されることでメニスカス振動の頻度が少なくなり、振動板の耐久性を確保することができる。